(57)【要約】【課題】ソケット装着面への端子の半田付けは、手作業で行わなければならないため製造効率が悪く、技能を要するものであった。【解決手段】はんだ付け治具２０に形成した挿入孔２２,２２にピン状端子１２,１２を挿入させて被覆するとともに、隔壁２４の頂面２４ａをプリント基板１０に当接させて両ピン状端子１２,１２間を仕切ることにより半田槽を通して半田付けを行ったときに、半田付けの必要なピン状端子１２,１２の付け根部分にのみ半田付けが施される。【選択図】図１
2007013201.tif 000002
【特許請求の範囲】
【請求項１】
コネクタのリード端子をプリント基板に挿入して背面側に突出せしめ、同背面側で半田付けするとともに突出部分をランプソケットに挿入して接続するための接続端子とするにあたり、同接続端子における上記ランプソケットに挿入される先端部分を覆蓋しつつ根部を露出させるキャップ部と、各接続端子の間を仕切りつつ上記プリント基板に当接する付き当て部とを有することを特徴とするランプソケット用接続端子のはんだ付け治具。
【発明の詳細な説明】
【技術分野】
【０００１】
本発明は、ランプソケット用接続端子を半田付け接続する際のはんだ付け治具に関する。
【背景技術】
【０００２】
パチンコ機においては、趣向性を向上させるために多くの豆球を利用している。このような豆球１はねじ込み式のソケットを備えるのではなく、図９および図１０に示すようにカップ状のソケット２に挿入するとともに同ソケット２の底部に形成した端子孔２ａ，２ａから豆球１のリード端子１ａ，１ａを導出している。一方、プリント基板３には上記端子孔２ａ，２ａに対面して突出するピン状の端子３ａ，３ａを立設せしめてあり、同端子３ａ，３ａをソケット２の端子孔２ａ，２ａに挿入する。これにより、端子孔２ａ内でリード端子１ａは端子３ａの周面に押しつけられ、電気的に接続するとともに端子３ａは端子孔２ａ内に無理入れされているのでソケット２自体の固定にもなる。
【０００３】
このような端子３ａ，３ａはプリント基板３に対して半田付けされるが、プリント基板３においてソケット２を装着しない側からであればいわゆる半田槽に通して半田付けすることができるものの、ソケット２の装着面の側についてはこのような半田槽に通して半田付けすることができない。ソケット２の装着面について半田槽に通してしまうと端子３ａ，３ａの先端まで半田が付着してしまい、ソケット２の端子孔２ａに挿入できなくなるし、端子３ａ，３ａの間で半田がブリッジを形成することがある。従って、このような端子３ａ，３ａについては手作業で半田付けせざるを得なかった。
【特許文献１】特開昭５９−３１０９６号公報
【特許文献２】実開平１−１０３２９２号公報
【特許文献３】実開昭５８−１９６８７６号公報
【特許文献４】特開平３−２８０３７５号公報
【発明の開示】
【発明が解決しようとする課題】
【０００４】
上述した従来のランプソケット用接続端子のはんだ付け治具においては、コネクタのリード端子をプリント基板３に挿通せしめて端子３ａ，３ａとする場合のように、ソケット２の装着面については端子３ａ，３ａの半田付けを手作業で行わなければならず、製造効率が悪いという課題があった。また、手作業で行うにしても端子３ａ，３ａの間でブリッジができないようにしたり、平行かつ垂直に立設させるのは技能を要するものであった。
【０００５】
本発明は、上記課題にかんがみてなされたもので、製造効率を向上させるとともに正確に半田付けすることが可能なランプソケット用接続端子のはんだ付け治具の提供を目的とする。
【課題を解決するための手段】
【０００６】
上記目的を達成するため、請求項１にかかる発明は、コネクタのリード端子をプリント基板に挿入して背面側に突出せしめ、同背面側で半田付けするとともに突出部分をランプソケットに挿入して接続するための接続端子とするにあたり、同接続端子における上記ランプソケットに挿入される先端部分を覆蓋しつつ根部を露出させるキャップ部と、各接続端子の間を仕切りつつ上記プリント基板に当接する付き当て部とを有するはんだ付け治具を備えた構成としてある。
【０００７】
上記のように構成した請求項１にかかる発明においては、半田付け治具をプリント基板の背面側からリード端子に被せていくと、キャップ部が同リード端子における先端部分を覆蓋しつつ根部を露出させる。ここにおいて覆蓋される先端部分がランプソケットに挿入される部分に相当し、半田槽に通したとしても半田が付着することはない。また、根部は露出しているので半田が付着して半田付けされる。さらに、キャップ部には付き当て部が形成されており、プリント基板に当接することによって接続端子の根部を所定量だけ必ず露出させるとともに、接続端子間を仕切るのでブリッジも生じない。
【０００８】
ここにおいて、キャップ部は接続端子の根部は露出させて先端部分を覆蓋するものであればよくその形状は適宜変更可能である。例えば、ソケットと同様の円柱状などとすることもできる。ただし、この場合は半田槽に対面する側が開口しないようにしておく。また、半田槽を通す関係上、半田の抵抗を受けることになるが、下面を進行方向に対して徐々に上方へ向かう傾斜とさせれば半田の抵抗によって上方へ押し上げられ、抜け落ちにくくなる。なお、キャップ部には平行な孔が設けてあるので、この孔内に接続端子を挿入させればプリント基板に対して垂直かつ互いに平行に固定することができる。
【０００９】
また、付き当て部はキャップ部とプリント基板との間で接続端子を仕切りつつプリント基板に押しつけられるものであればよく、平坦なキャップの上面から壁状に突出するようなものであっても良いし、あるいはキャップの上面を傾斜させて一部がプリント基板に当接するような形状とするなど、適宜変更可能である。
【発明の効果】
【００１０】
以上説明したように本発明は、ソケットを装着する側の面であっても半田槽を通すことができるとともに、ブリッジを形成せず、さらには容易にプリント基板に対して垂直かつ平行に半田付けすることが可能なランプソケット用接続端子のはんだ付け治具を提供することができる。
【発明を実施するための最良の形態】
【００１１】
以下、図面にもとづいて本発明の実施形態を説明する。
図１は、本発明の一実施形態にかかるランプソケット用接続端子とそのはんだ付け治具を斜視図により示している。
同図において、プリント基板１０の上面にはコネクタ１１が配設され、同コネクタ１１は、Ｌ字形に屈曲した一対のピン状端子１２,１２を備えている。このピン状端子１２,１２はプリント基板１０の上面から下面へ貫通されるとともに、同プリント基板１０の下面側では垂直方向に突出するように保持されている。なお、同コネクタ１１には図示しない相手側コネクタが接続されて、ピン状端子１２,１２に電力を供給することになる。むろん、このピン状端子１２,１２に対してランプソケットが装着される。また、本実施形態においては、コネクタ１１がＬ字形に屈曲した一対のピン状端子１２,１２を備えているが、コネクタ１１がプリント基板１０と垂直に配向されている場合にはこのようにＬ字形に屈曲しておく必要はない。
【００１２】
はんだ付け治具２０は、胴部２６を略円柱状に形成され、上端には上記一対のピン状端子１２,１２を挿入する一対の挿入孔２２,２２が開けられるとともに、同挿入孔２２,２２間を仕切るように鉛直方向に板状の隔壁２４が設けられている。
上記挿入孔２２,２２は、上記ピン状端子１２,１２が挿入できる程度の小径となっているとともに胴部２６の下端に貫くことなく中途まで開けられている。従って、後述するようにピン状端子１２,１２に装着されて半田槽を進行しても内部に半田が入り込むことはない。しかし、少なくともピン状端子１２,１２に半田が付着することによりランプソケットが装着できなくなることがないようにピン状端子１２,１２を覆うことができれば良い。
【００１３】
上記隔壁２４は、胴部２６の上端に上記挿入孔２２,２２の間を遮るように板状に延設され、スペーサの役目を果たしている。ここで、プリント基板１０から下面に突出した上記ピン状端子１２,１２の長さは、少なくとも上記挿入孔２２,２２の深さと隔壁２４の高さとの和以下となるように設定されている。したがって、使用時には隔壁２４の頂面２４ａがプリント基板１０に接して隙間が生じないし、半田から保護されるピン状端子１２,１２の長さは一定となる。
【００１４】
この意味で隔壁２４は、半田にさらされるピン状端子１２,１２の長さを一定とするとともに、互いに隔離することができればよく、特に形状は限定されない。例えば、図２に示されるように、中央に水平方向の平面を残しつつ、各々の挿入孔２２,２２の側へ斜めにそぎ落とした形状としても良い。このような形状としておくと、ピン状端子１２,１２に付着した余分な半田が流れ落ちやすくなる。
【００１５】
本実施形態においては、胴部２６は略円柱形に成形されているが、必ずしもかかる形状である必要はなく、角柱形等他の形状であっても良い。また、一対のピン状端子１２,１２のみを挿入可能な部材を各々に用いなくても、例えば、図３に示されるように、棒状の部材に所定間隔で同型に形成された一対の挿入孔を設けることにより、一プリント基板内の複数の箇所でピン状端子１２,１２をカバーするようにしても良い。
【００１６】
また、はんだ付け治具２０がピン状端子１２,１２から脱落するのを防止するために、隔壁２４や挿入孔２２,２２の配設されていない下端を図４に示すような曲面としても良い。図５に示されるように、はんだ付け治具２０を装着したプリント基板１０が半田槽を進行するとき、半田の流れが下方からプリント基板１０の方向へはんだ付け治具２０自体を押し上げるように半田の流れが作用して、はんだ付け治具２０の脱落を防止する。むろん、はんだ付け治具２０の脱落防止に必ずしも上記手法を用いなくても良い。
【００１７】
次に、上記構成からなる本実施形態の動作を説明する。
図６に示すように、プリント基板１０から突出しているピン状端子１２,１２に挿入孔２２,２２の位置を合わせて隔壁２４の頂面２４ａがプリント基板１０に当接するようにはんだ付け治具２０を装着する。この状態でプリント基板１０全体を水平方向に半田槽上で進行させることにより上方に吹き上げられる半田がプリント基板１０の下面に付着し、半田付けが行われる。
【００１８】
半田付けが終了した時点では、図７に示すようにはんだ付け治具２０で覆われずに露出しているピン状端子１２,１２の一部にのみ半田が付着しており、はんだ付け治具２０を除去すると、図８に示されるように必要な部位にだけ半田付けされたプリント基板１０が得られる。
このように、はんだ付け治具２０に形成した挿入孔２２,２２にピン状端子１２,１２を挿入させて被覆するとともに、隔壁２４の頂面２４ａをプリント基板１０に当接させて両ピン状端子１２,１２間を仕切ることにより半田槽を通して半田付けを行ったときに、半田付けの必要なピン状端子１２,１２の付け根部分にのみ半田付けが施される。
【図面の簡単な説明】
【００１９】
【図１】本発明の一実施形態にかかるランプソケット用接続端子のはんだ付け治具をプリント基板に装着する前の状況を示す斜視図である。
【図２】変形例にかかるランプソケット用接続端子のはんだ付け治具の斜視図である。
【図３】他の変形例にかかるランプソケット用接続端子のはんだ付け治具の斜視図である。
【図４】他の変形例にかかるランプソケット用接続端子のはんだ付け治具の斜視図である。
【図５】はんだ付け治具を装着したプリント基板に半田付けを行っている状況を示す側面図である。
【図６】はんだ付け治具を装着したプリント基板に半田付けをする前の状況を示す側面図である。
【図７】はんだ付け治具を装着したプリント基板への半田付けが終了した状況を示す側面図である。
【図８】半田付けの終了したプリント基板からはんだ付け治具を取り除いた後の状況を示す側面図である。
【図９】プリント基板上に取り付けられた豆球及びソケットの装着手法を示す分解斜視図である。
【図１０】プリント基板上に豆球及びソケットを装着する前の状況を示す斜視図である。
【符号の説明】
【００２０】
１０…プリント基板
１１…コネクタ
１２…ピン状端子
２０…はんだ付け治具
２２…挿入孔
２４…隔壁
２４ａ…頂面
２６…胴部
【図１】
2007013201.tif 000003
【図２】
2007013201.tif 000004
【図３】
2007013201.tif 000005
【図４】
2007013201.tif 000006
【図５】
2007013201.tif 000007
【図６】
2007013201.tif 000008
【図７】
2007013201.tif 000009
【図８】
2007013201.tif 000010
【図９】
2007013201.tif 000011
【図１０】
2007013201.tif 000012
【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
コネクタのリード端子をプリント基板に挿入して背面側に突出せしめ、同背面側で半田付けするとともに突出部分をランプソケットに挿入して接続するための接続端子とするにあたり、同接続端子における上記ランプソケットに挿入される先端部分を覆蓋しつつ根部を露出させるとともに、各接続端子の間を仕切りつつ上記プリント基板に当接するランプソケット用接続端子のはんだ付け治具であって、
上記各接続端子の間で上記プリント基板に当接する部分と、当該当接する部分から上記各接続端子の方向に向かって当該接続端子を挿入するための挿入孔が形成された部分とを有し、
当該挿入孔が形成された部分は、上記プリント基板に当接する部分から同挿入孔の方向に向かって同プリント基板から離れるようにそぎ落とした形状とされていることを特徴とするランプソケット用接続端子のはんだ付け治具。
【請求項２】
コネクタのリード端子をプリント基板に挿入して背面側に突出せしめ、同背面側で半田付けするとともに突出部分をランプソケットに挿入して接続するための接続端子とするにあたり、同接続端子における上記ランプソケットに挿入される先端部分を覆蓋しつつ根部を露出させるキャップ部と、各接続端子の間を仕切りつつ上記プリント基板に当接する付き当て部とを有するランプソケット用接続端子のはんだ付け治具であって、
上記接続端子が上記プリント基板に複数対設けられており、
上記付き当て部は、各対の接続端子の間を共通の隔壁で仕切りつつ上記プリント基板に当接する形状とされていることを特徴とするランプソケット用接続端子のはんだ付け治具。
【請求項３】
コネクタのリード端子をプリント基板に挿入して背面側に突出せしめ、同背面側で半田付けするとともに突出部分をランプソケットに挿入して接続するための接続端子とするにあたり、同接続端子における上記ランプソケットに挿入される先端部分を覆蓋しつつ根部を露出させるキャップ部と、各接続端子の間を仕切りつつ上記プリント基板に当接する付き当て部とを有するランプソケット用接続端子のはんだ付け治具であって、
上記キャップ部は、略円柱状に形成されていることを特徴とするランプソケット用接続端子のはんだ付け治具。
【手続補正２】
【補正対象書類名】明細書
【補正対象項目名】０００６
【補正方法】変更
【補正の内容】
【０００６】
上記目的を達成するため、請求項１にかかる発明は、コネクタのリード端子をプリント基板に挿入して背面側に突出せしめ、同背面側で半田付けするとともに突出部分をランプソケットに挿入して接続するための接続端子とするにあたり、同接続端子における上記ランプソケットに挿入される先端部分を覆蓋しつつ根部を露出させるとともに、各接続端子の間を仕切りつつ上記プリント基板に当接するランプソケット用接続端子のはんだ付け治具であって、上記各接続端子の間で上記プリント基板に当接する部分と、当該当接する部分から上記各接続端子の方向に向かって当該接続端子を挿入するための挿入孔が形成された部分とを有し、当該挿入孔が形成された部分は、上記プリント基板に当接する部分から同挿入孔の方向に向かって同プリント基板から離れるようにそぎ落とした形状とされている構成としてある。
【手続補正３】
【補正対象書類名】明細書
【補正対象項目名】０００７
【補正方法】変更
【補正の内容】
【０００７】
上記のように構成した請求項１にかかる発明においては、半田付け治具をプリント基板の背面側からリード端子に被せていくと、同リード端子における先端部分を覆蓋しつつ根部を露出させる。ここにおいて覆蓋される先端部分がランプソケットに挿入される部分に相当し、半田槽に通したとしても半田が付着することはない。また、根部は露出しているので半田が付着して半田付けされる。さらに、プリント基板に当接することによって接続端子の根部を所定量だけ必ず露出させるとともに、接続端子間を仕切るのでブリッジも生じない。
また、本はんだ付け治具は、上記各接続端子の間で上記プリント基板に当接する部分と、当該当接する部分から上記各接続端子の方向に向かって当該接続端子を挿入するための挿入孔が形成された部分とを有している。当該挿入孔が形成された部分は、上記プリント基板に当接する部分から同挿入孔の方向に向かって同プリント基板から離れるようにそぎ落とした形状とされている。すると、接続端子に付着した余分な半田が流れ落ちやすくなる。
ここにおいて、上記接続端子における上記ランプソケットに挿入される先端部分を覆蓋する部分の形状は適宜変更可能である。例えば、ソケットと同様の円柱状などとすることもできる。ただし、この場合は半田槽に対面する側が開口しないようにしておく。また、半田槽を通す関係上、半田の抵抗を受けることになるが、下面を進行方向に対して徐々に上方へ向かう傾斜とさせれば半田の抵抗によって上方へ押し上げられ、抜け落ちにくくなる。なお、上記接続端子における上記ランプソケットに挿入される先端部分を覆蓋する部分には平行な孔が設けてあるので、この孔内に接続端子を挿入させればプリント基板に対して垂直かつ互いに平行に固定することができる。
【手続補正４】
【補正対象書類名】明細書
【補正対象項目名】０００８
【補正方法】変更
【補正の内容】
【０００８】
また、請求項２にかかる発明は、コネクタのリード端子をプリント基板に挿入して背面側に突出せしめ、同背面側で半田付けするとともに突出部分をランプソケットに挿入して接続するための接続端子とするにあたり、同接続端子における上記ランプソケットに挿入される先端部分を覆蓋しつつ根部を露出させるキャップ部と、各接続端子の間を仕切りつつ上記プリント基板に当接する付き当て部とを有するランプソケット用接続端子のはんだ付け治具であって、上記接続端子が上記プリント基板に複数対設けられており、上記付き当て部は、各対の接続端子の間を共通の隔壁で仕切りつつ上記プリント基板に当接する形状とされている構成としてある。
上記のように構成した請求項２にかかる発明においては、半田付け治具をプリント基板の背面側からリード端子に被せていくと、キャップ部が同リード端子における先端部分を覆蓋しつつ根部を露出させる。ここにおいて覆蓋される先端部分がランプソケットに挿入される部分に相当し、半田槽に通したとしても半田が付着することはない。また、根部は露出しているので半田が付着して半田付けされる。さらに、キャップ部には付き当て部が形成されており、プリント基板に当接することによって接続端子の根部を所定量だけ必ず露出させるとともに、接続端子間を仕切るのでブリッジも生じない。
また、上記付き当て部は、各対の接続端子の間を共通の隔壁で仕切りつつ上記プリント基板に当接する形状とされている。すると、一プリント基板内の複数の箇所で接続端子がカバーされる。
ここにおいて、キャップ部は、半田槽を通す関係上、半田の抵抗を受けることになるが、下面を進行方向に対して徐々に上方へ向かう傾斜とさせれば半田の抵抗によって上方へ押し上げられ、抜け落ちにくくなる。なお、キャップ部には平行な孔が設けてあるので、この孔内に接続端子を挿入させればプリント基板に対して垂直かつ互いに平行に固定することができる。
また、付き当て部は、平坦なキャップの上面から壁状に突出するようなものであっても良いし、あるいはキャップの上面を傾斜させて一部がプリント基板に当接するような形状とするなど、適宜変更可能である。
【手続補正５】
【補正対象書類名】明細書
【補正対象項目名】０００９
【補正方法】変更
【補正の内容】
【０００９】
さらに、請求項３にかかる発明は、コネクタのリード端子をプリント基板に挿入して背面側に突出せしめ、同背面側で半田付けするとともに突出部分をランプソケットに挿入して接続するための接続端子とするにあたり、同接続端子における上記ランプソケットに挿入される先端部分を覆蓋しつつ根部を露出させるキャップ部と、各接続端子の間を仕切りつつ上記プリント基板に当接する付き当て部とを有するランプソケット用接続端子のはんだ付け治具であって、上記キャップ部は、略円柱状に形成されている構成としてある。
上記のように構成した請求項３にかかる発明においては、半田付け治具をプリント基板の背面側からリード端子に被せていくと、キャップ部が同リード端子における先端部分を覆蓋しつつ根部を露出させる。ここにおいて覆蓋される先端部分がランプソケットに挿入される部分に相当し、半田槽に通したとしても半田が付着することはない。また、根部は露出しているので半田が付着して半田付けされる。さらに、キャップ部には付き当て部が形成されており、プリント基板に当接することによって接続端子の根部を所定量だけ必ず露出させるとともに、接続端子間を仕切るのでブリッジも生じない。
また、上記キャップ部は、略円柱状に形成されている。
ここにおいて、キャップ部は、例えば、ソケットと同様の円柱状などとすることもできる。ただし、この場合は半田槽に対面する側が開口しないようにしておく。また、半田槽を通す関係上、半田の抵抗を受けることになるが、下面を進行方向に対して徐々に上方へ向かう傾斜とさせれば半田の抵抗によって上方へ押し上げられ、抜け落ちにくくなる。なお、キャップ部には平行な孔が設けてあるので、この孔内に接続端子を挿入させればプリント基板に対して垂直かつ互いに平行に固定することができる。
また、付き当て部はキャップ部とプリント基板との間で接続端子を仕切りつつプリント基板に押しつけられるものであればよく、平坦なキャップの上面から壁状に突出するようなものであっても良いし、あるいはキャップの上面を傾斜させて一部がプリント基板に当接するような形状とするなど、適宜変更可能である。
【手続補正６】
【補正対象書類名】明細書
【補正対象項目名】００１０
【補正方法】変更
【補正の内容】
【００１０】
以上説明したように、請求項１にかかる発明は、ソケットを装着する側の面であっても半田槽を通すことができるとともに、ブリッジを形成せず、さらには容易にプリント基板に対して垂直かつ平行に半田付けすることが可能であり、接続端子に付着した余分な半田を流れ落ちやすくさせることが可能なランプソケット用接続端子のはんだ付け治具を提供することができる。
請求項２にかかる発明は、ソケットを装着する側の面であっても半田槽を通すことができるとともに、ブリッジを形成せず、さらには容易にプリント基板に対して垂直かつ平行に半田付けすることが可能であり、各対の接続端子を共通の隔壁で仕切りつつ一プリント基板内の複数の箇所で接続端子をカバーすることが可能なランプソケット用接続端子のはんだ付け治具を提供することができる。
請求項３にかかる発明は、ソケットを装着する側の面であっても半田槽を通すことができるとともに、ブリッジを形成せず、さらには容易にプリント基板に対して垂直かつ平行に半田付けすることが可能であり、略円柱状に形成されたキャップ部を有するランプソケット用接続端子のはんだ付け治具を提供することができる。